(57)【要約】【課題】電柱の表示と、地図と、チェックカードを用いる競技を提供する。【解決手段】電柱には電話会社と電力会社の夫々の電柱番号を表わした番号札が貼ってある。電話線は桂幹Ｒ１、警察支Ｒ６等と配線されている。競技者はチェックカード１０６と地図Ａの内電柱ＮＯ．１〜ＮＯ．６の記載のない地図を渡される。チェックカードのＮ欄は電話会社の電柱番号で予め記入されている。Ｔ欄は電力会社の電柱番号で空白となっている。スタート地点１０８から出発した競技者はＮＯ．１〜ＮＯ．７の電柱を探索してＮ欄に記入する。時間で順位を決める。【選択図】　　　図４
2004105445.tif 000002
【特許請求の範囲】
【請求項１】
道路に沿って設けられた電力会社及び通信会社共用の電柱の内予め指定された電柱を歩行により移動して探索するのに用いられる遊具であって、前記予め指定された電柱を識別するための電力会社及び通信会社共用の電柱を識別するために電柱に付された電力会社用の番号札、通信会社用の番号札の内通信会社用の番号札に記された番号を探索する電柱の順序で記載した番号列と、前記番号列の番号の夫々に対応して電力会社用の番号札に記された番号を記録することができる空白箇所を有する記録媒体であることを特徴とする遊具。
【請求項２】
道路に沿って設けられた電力会社及び通信会社共用の電柱の内予め指定された電柱を歩行により探索するのに用いられる地図であって、
前記道路、通信会社の線路を線引表示したことを特徴とする地図である遊具。
【請求項３】
請求項１に記載の記録媒体と請求項２に記載の地図が同一シートに記録されていることを特徴とする遊具。
【請求項４】
道路に沿って設けられた電力会社及び通信会社共用の電柱の内予め指定された電柱を探索し乍ら歩行により移動して、早さを競う遊具の使用方法であって、
（１）複数の競技者に夫々同一の、地図、及び記録媒体を渡す段階と、ここで、記録媒体は、前記予め指定された電柱を識別するための電力会社及び通信会社共用の電柱を識別するために電柱に付された電力会社用の番号札、通信会社用の番号札の内通信会社用の番号札に記された番号を探索する電柱の順序で記載した番号列と、前記番号列の番号の夫々に対応して電力会社用の番号札に記された番号を記録することができる空白個所を有する、地図は道路、通信会社の線路を線引表示した地図である、
（２）スタート点に各競技者を集合させる段階と、
（３）間隔をおいて各競技者が出発し、審判員が各競技者の出発時間を確認する段階と、
（４）各競技者が地図に従って、予め定められた電柱の通信会社の番号札に記載の番号列の順序に従って歩行して移動し、該番号に該当する電柱を見出す段階と、
（５）見出された電柱に付された通信会社用の番号札に記された番号と記録媒体の該番号を照合しこの電柱の電力会社用の番号札の番号に対応する記録媒体の空白個所に該電力会社用の番号を記録する段階と、
（６）電柱を見出する段階（４）と記録媒体に記録する段階（５）をくり返す段階と、
（７）記録媒体の空白箇所が電力会社用の電柱を示す番号で埋まった後にゴールへ向って移動し、ゴールに到達して審判員に記録媒体を渡す段階と、
（８）ゴールにおいて、審判員が記録媒体を受け取った時間を確認する段階と、
（９）スタート点を出発してからゴールに到達して審判員が記録媒体を受け取るまでの競技時間を計算する段階と、
（１０）各競技者の記録媒体に記録した電力会社の番号の正誤を確認し、正しいものの中から競技時間の長さに従う競技者の評価を行う段階と、
を有することを特徴とする遊具の使用方法。
【発明の詳細な説明】
【０００１】
【発明の属する技術分野】
本発明は遊具及び遊具の使用方法に関する。ここで、遊具の使用方法には競技方法及び１人又は少人数で行う遊戯方法がある。
【０００２】
【従来の技術】
【特許文献】
なし
【非特許文献】
なし
【０００３】
【発明が解決しようとする課題】
本発明は従来例にない発想に基づいて行う作成された遊具及びこの遊具の使用方法を提供することを目的とする。
【０００４】
【課題を解決するための手段】
本出願に係る第１の発明は道路に沿って設けられた電力会社及び通信会社共用の電柱の内予め指定された電柱を歩行により移動して探索するのに用いられる遊具であって、前記予め指定された電柱を識別するための電力会社及び通信会社共用の電柱を識別するために電柱に付された電力会社用の番号札、通信会社用の番号札の内通信会社用の番号札に記された番号を探索する電柱の順序で記載した番号列と、前記番号列の番号の夫々に対応して電力会社用の番号札に記された番号を記録することができる空白箇所を有する記録媒体であることを特徴とする遊具である。
【０００５】
本出願に係る第２の発明は道路に沿って設けられた電力会社及び通信会社共用の電柱の内予め指定された電柱を歩行により探索するのに用いられる地図であって、前記道路、通信会社の線路を線引表示したことを特徴とする地図である遊具である。
【０００６】
本出願に係る第３の発明は第１の発明に記載の記録媒体と第２の発明に記載の地図が同一シートに記録されていることを特徴とする遊具である。
【０００７】
本出願に係る第４の発明は道路に沿って設けられた電力会社及び通信会社共用の電柱の内予め指定された電柱を探索し乍ら歩行により移動して、早さを競う遊具の使用方法であって、
（１）複数の競技者に夫々同一の、地図、及び記録媒体を渡す段階と、ここで、記録媒体は、前記予め指定された電柱を識別するための電力会社及び通信会社共用の電柱を識別するために電柱に付された電力会社用の番号札、通信会社用の番号札の内通信会社用の番号札に記された番号を探索する電柱の順序で記載した番号列と、前記番号列の番号の夫々に対応して電力会社用の番号札に記された番号を記録することができる空白個所を有する、地図は道路、通信会社の線路を線引表示した地図である、
（２）スタート点に各競技者を集合させる段階と、
（３）間隔をおいて各競技者が出発し、審判員が各競技者の出発時間を確認する段階と、
（４）各競技者が地図に従って、予め定められた電柱の通信会社の番号札に記載の番号列の順序に従って歩行して移動し、該番号に該当する電柱を見出す段階と、
（５）見出された電柱に付された通信会社用の番号札に記された番号と記録媒体の該番号を照合しこの電柱の電力会社用の番号札の番号に対応する記録媒体の空白個所に該電力会社用の番号を記録する段階と、
（６）電柱を見出する段階（４）と記録媒体に記録する段階（５）をくり返す段階と、
（７）記録媒体の空白箇所が電力会社用の電柱を示す番号で埋まった後にゴールへ向って移動し、ゴールに到達して審判員に記録媒体を渡す段階と、
（８）ゴールにおいて、審判員が記録媒体を受け取った時間を確認する段階と、
（９）スタート点を出発してからゴールに到達して審判員が記録媒体を受け取るまでの競技時間を計算する段階と、
（１０）各競技者の記録媒体に記録した電力会社の番号の正誤を確認し、正しいものの中から競技時間の長さに従う競技者の評価を行う段階と、
を有することを特徴とする遊具の使用方法である。
【０００８】
【発明の実施の形態】
以下、本発明の実施の形態について説明する。
【０００９】
例えば、主たる電力会社（以下、電力会社という）の電柱が約８割、主たる通信会社（以下、電話会社という）の電柱が約２割である。短い電柱は電話会社の専用柱である。いうまでもなく、これらの電柱には電力用電線（電線という）及び通信用電線（電話線という）が張られている。その張り方は電線、電話線共に電柱の列を通じて連続して配線されている。
【００１０】
電力会社と電話会社ともその電柱を識別するための番号札が電柱につけられている。電力会社と電話会社と共用している電柱も多く、夫々の会社の番号札が夫々つけられていて電柱を共用している。
【００１１】
以下の説明で電力会社、電話会社共用の電柱を単に電柱という。
【００１２】
図１、図２に示すように、電柱１００には番号札１０１，１０２が２枚付いている。電柱１００では上部に電力会社用の張られた電線１０３が結合されており、下部には通信会社が電話線１０４を結合している。そして、夫々の会社は各電柱間を通じて電線、電話線が引かれている。
【００１３】
図１、図２に示すように電柱１００に夫々固定して上部に電話会社の番号札１０１、下部に電力会社の番号札１０２が設けられてある。この順序は一定ではなく、上部に番号札１０２その下部に番号札１０１を配設したものも多い。
【００１４】
電話線１０４は、直径３センチ位のケーブル線で各家庭の近くまで配線されている。そこから細い電話線で家に繋がれている。電話線１０４には黒いボックス１０５が付設されている場合が多いので、すぐに分かる。電話線１０４は内部に通信用の絶縁被覆したケーブル、光ファイバー等を束ねてこれらを外装材で包み込んである。電柱間に張り渡してある電話線１０４は太いから他の電線とは容易に区別される。
【００１５】
（電話会社の番号札のしくみ）
電話会社の電話線には「線路名」がある。
【００１６】
電話会社の電話線１０４には、線路の名前が付けられている。例えば、番号札１０１には図３に示すように「本郷幹」とか「桂支」などと必ず書かれている。地名「本郷」「桂」のあとについている幹，支などは、それぞれ幹線，支線の意味で、線の文字は略されている。支線から分岐した電話線は分と表示されている。幹線は幅の広い道路に使用され、支線はそれより狭い道、分線はまれだが歩道のように狭い道に使用されている。
【００１７】
（番号の付け方）
図３に角囲みして示すようにメインとなる線路（幹線）Ｒ１１の電柱番号は１，２，３．．．と順に付けられており、そこから番号は枝葉に分かれていきます。支線の番号は、本郷幹線Ｒ１１上の電柱番号１１〜１６の内若い方の番号を背にして幹線Ｒ１１の左で幹線Ｒ１１の電柱番号１１から左へ１番目の電柱を１１／左１と表示してある。図４に示す記録媒体であるチェックカード１０６の電話会社Ｎ欄に例えば「本郷幹１１／左１／右４」となっている場合は、図３に示す本郷幹線１１番目の電柱１１から左に分かれて１本目の電柱が１１／左１である。そこからまた右に分かれて４本目が目標の電柱１１４となる。割１，割２とは、従来の電柱の間に割り込んで後から追加設置された場合に使われる。例えば、図３の本郷幹１４と１５の間に割り込んだ電柱１００ａは本郷幹１４（割１）と番号札１０１に表示される。割１，割２に代えて甲，乙と使われる場合もある。
【００１８】
直１，直２とは、元々あった線路が右または左に曲がっていて、後から真っすぐ延びていく線路を設けた場合に使われる。なお、図３は地図上の電柱１００の配置をそのまま示したものでなく、各電柱の関係位置を模式的に示してあり地図上の道路とは一致しない。
【００１９】
（地図の読み方）
図５は競技用の地図Ｂである。道路に沿って線路Ｒ１〜Ｒ６が設けられている。この線路は赤線で示される。図５では赤線は黒い太線で示してある。
【００２０】
競技用の地図Ｂの赤線（図では太い線）が幹線、支線、分線などのメインとなる電話の線路で、それぞれに線路名がついている。この線路名は例えば、桂幹Ｒ１、第二桂幹Ｒ２、公田支Ｒ３、平和台支Ｒ４、岩崎支Ｒ５、警察支Ｒ６等である。
【００２１】
線路の起点（１番目）の電柱は赤色の●印１１５になっている。最後尾の番号は、線路の最後の電柱番号になる。電話会社の電柱番号は順番に付いているから、途中の電柱番号の大体の位置が予想できる。
【００２２】
スタート地点１０８は△印、ゴール地点は◎印で、スタート地点△とゴール地点◎が同じ場所の場合は△と◎を重ねて表してある。本例では、スタート地点△とゴール地点◎は同一場所である。
【００２３】
縮尺１０７は、目標の電柱の場所を予想する上で大変参考になる。
【００２４】
縮尺５０００分の１の地図Ｂの場合、地図上の１ｃｍが実際は（１ｃｍ×５０００＝５０００ｃｍ＝）５０ｍになる。
【００２５】
電柱の間隔は普通約３０ｍ弱で、例えば、７本目の電柱までは約２１０ｍとなる。
【００２６】
地図は上方が北になるよう描かれており、現在地を確認する場合には、地図の上方を北に向ければ位置が確認し易くなる。現地での北の方向が分からない場合は、太陽の位置を参考にすると大まかな方向が分かる。（太陽は朝＝東から正午＝南よりに　夕＝西へ移動しますので、そのときの時刻から予想します）しかし、太陽が出ていないときは、磁石に頼るしかない。あるいは、電柱の住所、番地の案内板があることもあるので、地図Ｂで現在地を確認する。
【００２７】
競技用の地図Ｂの道路部分に連続して描かれている（青色の）矢印１１７は、車の一方通行を表わします（歩くコースを示しているのではない）。図５では省略してあるが地図には住居表示の番地、学校、警察、病医院、マンション等の固有名称が付されている。
【００２８】
（コースの作成）
競技コースは次のように作られている。図４は図５の地図Ｂに付記した地図Ａである。図４に示すようにスタート地点１０８の三角印▽を選択する。競技参加人数を想定して多数の人が集合可能であると共に分り易い場所として地区センター１１６の前が選択される。
【００２９】
最初の検索を行う電柱１００（ＮＯ．１と記す）として警察支線Ｒ６の左１を選ぶ。番号札１０１にはこの番号「警察支　左１／６」と記載されている。尚、図４には上記番号を「警察支　６Ｌ１＝１１４」と記し、左をＬ（右をＲ）に書換えた上電力会社の電柱番号「＝１１４」を併記してある（以下、同じ）。
【００３０】
次に探索を行う電線１００（ＮＯ．２と記す）として岩崎支線Ｒ５の４を選ぶ。番号札１０１にはこの番号が「岩崎支４」と記載されている。図４には上記番号を「岩崎支　４＝２０５」と記し、電力会社の電柱番号「＝２０５」を併記してある。
【００３１】
以下、同様にして検索順に電柱１００（ＮＯ．３）が選択される。最後に検索する電柱１００（ＮＯ．７）は桂幹４０の右１右１となっている。番号札１０１には「桂幹　右１／右１／４０」と記載されている。図４ではこれを「桂幹４０Ｒ１Ｒ１＝２０２」と記載し電力会社の番号「＝２０２」を併記してある。
【００３２】
地図Ｂには電柱は幹線、支線の始点（地図上では丸をぬりつぶしてある）の電柱以外には示されていない。
【００３３】
チェックカード１０６は上記各電柱に附された電話会社、電力会社の番号が記入される。チェックカード１０６の最上欄は検索すべき電柱１００を検索順に順序数を記載してある。中間の欄は電話会社の欄Ｎである。この欄Ｎには電話会社の番号札１０１に記載されている番号が記載されている。例えば上述したようにＮＯ．１の電柱１００の番号札１０１の番号に相当させて「警察支　左１６」と記載してある。この電話会社の欄Ｎは競技設計者が予めチェックカード１０６に記載してある。
【００３４】
チェックカード１０６の最下欄は電力会社の番号札に記載されている数字を記入する欄Ｔであり、競技者用の地図Ｂには図３に示すように電力会社の欄Ｔは記入されていない。
【００３５】
競技者は図３に示す地図Ｂを集合場所において支給される。地図Ｂは道路地図上に電話線路Ｒ１〜Ｒ６とスタート地点▽、ゴール地点◎を表示してある。図３には、符号とまぎらわしさを避けるために住居表示の番地を省略してあるが、競技社が用いる地図には番地の表示がある。又、電柱には全部ではないが住居表示されているものがある。
【００３６】
次に遊具である地図Ｂとチェックカードの使用方法の１例を述べる。
【００３７】
この使用方法は名称「サーチウォーク」なる競技である。
【００３８】
（競技ルール）
１）「サーチウォーク」は名前が示すとおり、歩く競技である。絶対に走らないこととする。
２）以下の場合は、着外の参考時間とする。
【００３９】
▲１▼競技中に走った場合
・・・走っている組（人）を見つけたときは、そのゼッケン番号をゴール地点で報告する。２組以上の競技者から報告があった場合は着外とする。
【００４０】
▲２▼電柱が見つからなかった場合、または答え（東電の電柱番号）が間違っていた場合。
【００４１】
▲３▼規定時間内でゴール出来なかった場合。
３）ゼッケンは見えるように着用する。
【００４２】
競技のルールは上記は例であり
４）一組の競技者の人員は２人以内とする。
【００４３】
（競技方法）
この競技の参加者にはインストラクターから、地図Ｂの見方、チェックカード１０６の記入の仕方、電柱１００を探すヒント及び交通安全についての説明がある。
【００４４】
スタート地点▽に集合した後はゼッケンを着用し、次のとおりの順序で競技する。
１）スタート地点▽において、受付でチェックカード１０６にこの競技の世話をする係にスタート時刻を記入してもらう。
２）スタート時刻の５分前になったら、スタート枠の前に集まる。
（早く集まると、混雑するので、例えば５分前とする。）スタート枠はスタート地点▽に設けられていて一組の人員のみ入り得るもので地上にチョーク等で描かれている。
３）スタート枠に入ったら、審判員の合図により、１分ごとに１組宛前に進む。
４）スタートしたら、ＮＯ．１の番号の電柱を目指して歩く。（決して走らないこと）
５）電柱を見つけたら電話会社の番号札１０１に記載の番号（以下、電話会社の番号という）とチェックカード１０６のＮ欄の番号を照合し、一致していると、電力会社の番号札１０２に記載の番号（以下、電力会社の番号という）（地名は不要）を読み取りチェックカード１０６のＴ欄に記入し、次の目標に進む。
６）すべて捜してゴールしたら、電力会社の番号の確認と、ゴール時刻、所要時間を係に記入してもらう。
（すべて捜せなかった場合でも、規定の時刻までに会場に戻ることと定める）
７）所要時間記入済の速報用紙をもらって名前を記入し、所要時間の短い方から順に図示されない速報版に速報用紙を吊す。
【００４５】
尚、速報用紙はチェックカード１０６の所要時間を転記してあるがゴール、スタート、所要時間記入のチェックカード１０６を用いてもよい。
８）着順が決まり次第、講評、表彰式を行う。
【００４６】
（電柱の探し方）
上記競技における電柱の探し方は次のとおりである。
イ）▲１▼電柱番号は先に説明したように、決まったルールで付けられているので、目標の番号が付けられた電柱１００の位置を、地図上で予想（推理）する。
【００４７】
▲２▼現在地からその場所への近道ルートを考え、移動する。
ロ）あるいは、（下記の［迷ったときは］のように）順番に番号をたどっていけば、時間はかかるが確実に見つけることができる。
【００４８】
［どちらが早い］
地図Ｂの幹線、支線に沿ってがむしゃらに歩き回って探すのも一つの方法であるが、体力をやたらと消耗し、時間もロスしそうである。イの▲２▼のようにちょっと考えて次の目標位置を推理すると、近道があるかも知れない。予想が正しければ楽に、早くたどり着けるわけである。＝それがこの「サーチウォーク」の面白いところである。
【００４９】
［迷った時は］
自分の位置が分からないまま動くと余計に迷うおそれが多い。とにかく現在地を正確に調べることが肝心である。近くに地名表示があるときは、地図で確認する。
【００５０】
メイン線路に戻りたい場合には、近くの電柱の電話会社の番号が［７／右３／左２］なら、［７／右３／左１］→［７／右３］→［７／右２］→［７／右１］→［７］と戻ればメイン線路に戻れる。
【００５１】
交差点などで電話線が地下に潜ってしまうものがたまにある。近くの電柱で立ち上がっているはずであるから、周りの電柱を探す必要がある。
【００５２】
ここで、競技者がスタートからゴールまでに所要時間に差がつく要因を考えてみると次のような点が挙げられる。
（１）図３の線路番号の付け方の図は予かじめ解説書と共に与えられる。一方、競技用の地図Ｂ（図５）には幹線、支線Ｒ１〜Ｒ７がその名称と共に記載されている。従って、図３の線路番号の付け方をよくのみ込んでいると有利である。
（２）前述したロ▲２▼の近道ルートについて説明する。出発してから、電柱の位置が何処にあるかを勘を働かせると共に近道、ぬけ道を探し出せるか否かである。例えば、電柱１００（ＮＯ．３）は図４で示すように岩崎支線Ｒ４から分岐している。ここで、この電柱１００（ＮＯ．３）は電話会社の番号でいえば平和台　支　左２／１６となっているので支線Ｒ４の始点１１８から平和台支線Ｒ４をたどって正統な地点１０９から左折して２番目の電柱１００（ＮＯ．３　電話会社番号　平和台　１６Ｌ２）を探し出すかも知れない。
【００５３】
一方、地図５をよく観察すると地点１０９あたりより左折して２番目の電柱１００がＮＯ．３の電柱であると気づく。そこで、階段１１１へＴ字交差点１１０から向い、階段１１１の上り切った処を右折して細道１１２を進むと、地点１０９をとおる道路１１３と出会う。この点にＮＯ．３の電柱１００が立っている。
【００５４】
しかし、この方法が有効であるためには地点１０９の推定が正確でなければならない。でないと、余分に時間がかかるおそれがある。
（３）歩行速度が影響する。然し乍ら、迷い易いコースの場合は周辺を充分観察してコースから離れていないように注意しなければならず、おのずと歩行速度は遅くなる。
【００５５】
実施の形態は競技者に支給する地図をチェックカードは一体のシートとなっている。競技者に支給する地図とチェックカードを別のシートとしても良い。チェックカードが地図と別であると、競技結果の比較が容易で競技結果をチェックカードを用いて行うことができる。
【００５６】
上述した実施の形態をまとめると次のとおりである。
（１）道路に沿って設けられた電力会社及び通信会社共用の電柱の内予め指定された電柱を検索し乍良ら歩行により移動して早さを競う競技に用いられる遊具であって、前記予め指定された電柱１００を識別するための電力会社及び通信会社共用の電柱を識別するために電柱に付された電力会社用の番号札１０２、通信会社用の番号札１０１の内通信会社用の番号札１０１に記された番号を検索する電柱１００の順序で記載した番号列と、前記番号列の番号の夫々に対応して電力会社用の番号札１０２に記された番号を記録することができる空白個所（Ｔ欄）を有する記録媒体例えばチェックカード１０６である遊具である。
（２）道路に沿って設けられた電力会社及び通信会社共用の電柱の内予め指定された電柱１００を検索し乍ら歩行により移動して早さを競う競技に用いられる地図Ｂであって、前記道路、通信会社の線路Ｒ１〜Ｒ７を線引表示した地図である遊具。
（３）（１）に記載の記録媒体と（２）に記載の地図が同一シートに記録されている遊具である。
（４）道路に沿って設けられた電力会社及び通信会社共用の電柱の内予め指定された電柱１００を検索し乍ら歩行により移動して、早さを競う競技であって、
（ａ）複数の競技者に夫々同一の、地図Ｂ、及び記録媒体であるチェックカード１０６を渡す段階と、ここで、記録媒体は、前記予め指定された電柱１００を識別するための電力会社及び通信会社共用の電柱を識別するために電柱に付された電力会社用の番号札１０２、通信会社用の番号札１０１の内通信会社用の番号札１０１に記載された番号を検索する電柱ＮＯ．１〜ＮＯ．７の順序で記載した番号列Ｎと、前記番号列の番号の夫々に対応して電力会社用の番号札１０２に記された番号を記録することができる空白個所であるＴ欄を有する、地図は道路、通信会社（電話会社）の線路を線引表示した地図である、
（ｂ）スタート点▽に各競技者を集合させる段階と、
（ｃ）間隔をおいて各競技者が出発し、審判員が各競技者の出発時間を確認する段階と、
（ｄ）各競技者が地図Ｂに従って、予め定められた電柱１００の番号列の順序に従って歩行して移動し、該番号に該当する電柱１００を見出す段階と、
（ｅ）見出された電柱１００に付された通信会社用の番号札１０１に記された番号と記録媒体の該番号を照合しこの電柱の電力会社用の番号札１０２の番号に対応する記録媒体の空白個所（Ｔ欄）に該電力会社用の番号を記録する段階と、
（ｆ）電柱１００を見出する段階（４）と記録媒体に記録する段階（５）をくり返す段階と、
（ｇ）記録媒体の空白箇所が電力会社用の電柱を示す番号で埋まった後にゴール◎へ向って移動し、ゴール◎に到達して審判員に記録媒体を渡す段階と、
（ｈ）ゴールにおいて、審判員が記録媒体を受け取った時間を確認する段階と、
（ｉ）スタート点▽を出発してからゴール◎に到達して審判員が記録媒体を受け取るまでの競技時間を計算する段階と、
（ｊ）各競技者の記録媒体に記録した電力会社の番号の正誤を確認し、正しいものの中から競技時間の長さに従う競技者の評価を行う段階と、
を有する競技方法である。
【００５７】
実施の形態の遊具の使用方法は競技方法を示したが、この遊具は１人又は少人数で行う遊戯に用いてもよい。
【００５８】
【発明の効果】
本発明によれば簡単な遊具でもって探険気分も加わった興味深い使用方法を提供できる。
【図面の簡単な説明】
図面は何れも本発明の実施の形態を示し
【図１】電柱に付された番号札を示す正面図である。
【図２】電柱を示す斜視図である。
【図３】線路番号の付け方を示す平面図である。
【図４】地図及び記録媒体を示す平面図である。
【図５】地図及び記録媒体を示す平面図である。
【符号の説明】
１００…電柱　１００ａ…電柱
１０１…通信会社の番号札
１０２…電力会社の番号札
１０３…電線
１０４…電話線
１０５…ボックス
１０６…チェックカード（記録媒体）
１０７…縮尺
１０８…スタート地点
１０９…地点
１１０…Ｔ字交差点
１１１…階段
１１２…細道
１１３…道路
１１４…電柱
１１５…線路の起点
１１６…地区センター
１１７…矢印
１１８…始点
Ｒ１…桂幹
Ｒ２…第２桂幹
Ｒ３…公田支
Ｒ４…平和台
Ｒ５…岩崎支
Ｒ６…警察支
Ｒ１１…本郷幹
【図１】
2004105445.tif 000003
【図２】
2004105445.tif 000004
【図３】
2004105445.tif 000005
【図４】
2004105445.tif 000006
【図５】
2004105445.tif 000007